(57)【要約】  本発明は植物性バイオマス、炭素触媒及び水を共存させ加熱加水分解する反応を、反応温度（縦軸）と反応時間（横軸）との関係を表すグラフにおける１７０〜２３０℃の範囲の温度時間積が８０〜３６５℃・分の条件で行うことを特徴とする重合度３〜６のオリゴマーを含有するセロオリゴ糖の製造方法を提供する。最高反応温度Ｘ（℃）と最高反応温度の保持時間Ｙ（分）とが下記の式（１）〜（３）：  Ｙ＞−０．０７１４Ｘ＋１５          （１）  Ｙ＜−Ｘ＋２１０                    （２）  Ｘ＞１７５                          （３）で示される関係を満たすことが好ましい。【特許請求の範囲】
【請求項１】
植物性バイオマス、炭素触媒及び水を共存させ加熱加水分解する反応を、反応温度（縦軸）と反応時間（横軸）との関係を表すグラフにおける１７０〜２３０℃の範囲の温度時間積が８０〜３６５℃・分の条件で行うことを特徴とする重合度３〜６のオリゴマーを含有するセロオリゴ糖の製造方法。
【請求項２】
最高反応温度（Ｘ）と最高反応温度の保持時間（Ｙ）とが下記の式（１）〜（３）：
【数１】
2017104687.tif 000007
（式中、Ｘは最高反応温度（℃）、Ｙは最高反応温度における保持時間（分）を表す。）
で示される関係を満たす請求項１に記載のセロオリゴ糖の製造方法。
【請求項３】
前記最高反応温度に加温するときの昇温速度、及び前記最高反応温度から冷却するときの冷却速度が０．１〜３０℃／分である請求項１または２に記載のセロオリゴ糖の製造方法。
【請求項４】
炭素触媒が活性炭である請求項１〜３のいずれかに記載のセロオリゴ糖の製造方法。
【請求項５】
炭素触媒が水蒸気賦活活性炭である請求項１〜４のいずれかに記載のセロオリゴ糖の製造方法。
【請求項６】
炭素触媒が空気酸化した水蒸気賦活活性炭及び／または空気酸化した薬剤賦活活性炭である請求項１〜４のいずれかに記載のセロオリゴ糖の製造方法。
【請求項７】
植物性バイオマスと炭素触媒を予め混合して粉砕したものを原料に用いる請求項１〜６のいずれかに記載のセロオリゴ糖の製造方法。
【請求項８】
予め粉砕した植物性バイオマスを原料に用いる請求項１〜７のいずれかに記載のセロオリゴ糖の製造方法。
【請求項９】
グルコースの重合度３〜６のオリゴ糖の収率が５０〜８０％となる時点で反応を終了する請求項１〜８のいずれかに記載のセロオリゴ糖の製造方法。
【発明の詳細な説明】
【技術分野】
【０００１】
本発明は、炭素触媒を用いた植物性バイオマスの加水分解反応によりグルコースの重合度が３〜６のオリゴマーを含有するセロオリゴ糖を製造する方法に関する。
【背景技術】
【０００２】
セロオリゴ糖は、グルコースがβ１，４結合して重合した少糖類であり、保湿性、べたつき抑制、清味付与、でんぷん老化低減、タンパク変性抑制などの機能性が近年見出され、医薬、化粧品、食品、飼料分野への利用が期待されている。
特に、グルコースの重合度が３以上のセロオリゴ糖は、上記の機能性の増大、新たな機能性賦与という点でより大きな期待が寄せられている。【０００３】
しかし、現在工業的に利用されているセロオリゴ糖は、酵素反応によって製造されているが、主成分はグルコースと二量体のセロビオースであり、三量体のセロトリオース以上のオリゴマーはほとんど含有していない（特開２００９−１８９２９３号公報；特許文献１）。【０００４】
酵素法以外のセロオリゴ糖製造技術としては、水熱処理方法（特開２０１１−０６８５７８号公報（US2012/232264A1）；特許文献２、国際公開第２０１１／０３６９５５パンフレット（US9144785B2）；特許文献３、国際公開第２０１２／１２８０５５パンフレット（US9284614B2）；特許文献４）、次亜塩素酸を含有する酸化水による水熱処理方法（特開２００６−３２０２６１号公報；特許文献５）が知られているが、いずれの特許文献にもセロオリゴ糖は、セルロースをグルコースに分解する過程の中間産物として取り扱われており、収率などの具体的データは開示されていない。すなわち、グルコースの重合度が３〜６のオリゴマーを工業的に効率よく製造する方法は確立されておらず、従来はグルコースを主成分とする加水分解反応液等にわずかに含まれる目的物を精製して製造されているにすぎなかった。
以上のことから、現状工業生産されていないグルコースの重合度が３（セロトリオース）〜６のオリゴマーを含有するセロオリゴ糖が高収率で得られる製造方法の確立が望まれている。
【先行技術文献】
【特許文献】
【０００５】
【特許文献１】特開２００９−１８９２９３号公報
【特許文献２】特開２０１１−０６８５７８号公報（US2012/232264A1）
【特許文献３】国際公開第２０１１／０３６９５５パンフレット（US9144785B2）
【特許文献４】国際公開第２０１２／１２８０５５パンフレット（US9284614B2）
【特許文献５】特開２００６−３２０２６１号公報
【発明の概要】
【発明が解決しようとする課題】
【０００６】
本発明の課題は、炭素触媒を用いて植物性バイオマスを加水分解する方法において、グルコースの重合度が３〜６のオリゴマーを含有するセロオリゴ糖を製造する方法を提供することにある。
【課題を解決するための手段】
【０００７】
本発明者らは、炭素触媒を用いた植物性バイオマスの加水分解反応において、昇温速度、冷却速度、反応温度、反応時間を制御して水熱反応をさせることによりグルコースの重合度が３〜６のオリゴマーを含有するセロオリゴ糖を製造できることを見出し、本発明を完成するに至った。【０００８】
すなわち、本発明は以下の［１］〜［９］のセロオリゴ糖の製造方法に関する。
［１］  植物性バイオマス、炭素触媒及び水を共存させ加熱加水分解する反応を、反応温度（縦軸）と反応時間（横軸）との関係を表すグラフにおける１７０〜２３０℃の範囲の温度時間積が８０〜３６５℃・分の条件で行うことを特徴とする重合度３〜６のオリゴマーを含有するセロオリゴ糖の製造方法。
［２］  最高反応温度（Ｘ）と最高反応温度の保持時間（Ｙ）とが下記の式（１）〜（３）：
【数１】
2017104687.tif 000002
（式中、Ｘは最高反応温度（℃）、Ｙは最高反応温度における保持時間（分）を表す。）
で示される関係を満たす前項１に記載のセロオリゴ糖の製造方法。
［３］  前記最高反応温度に加温するときの昇温速度、及び前記最高反応温度から冷却するときの冷却速度が０．１〜３０℃／分である前項１または２に記載のセロオリゴ糖の製造方法。
［４］  炭素触媒が活性炭である前項１〜３のいずれかに記載のセロオリゴ糖の製造方法。
［５］  炭素触媒が水蒸気賦活活性炭である前項１〜４のいずれかに記載のセロオリゴ糖の製造方法。
［６］  炭素触媒が空気酸化した水蒸気賦活活性炭及び／または空気酸化した薬剤賦活活性炭である前項１〜４のいずれかに記載のセロオリゴ糖の製造方法。
［７］  植物性バイオマスと炭素触媒を予め混合して粉砕したものを原料に用いる前項１〜６のいずれかに記載のセロオリゴ糖の製造方法。
［８］  予め粉砕した植物性バイオマスを原料に用いる前項１〜７のいずれかに記載のセロオリゴ糖の製造方法。
［９］  グルコースの重合度３〜６のオリゴ糖の収率が５０〜８０％となる時点で反応を終了する前項１〜８のいずれかに記載のセロオリゴ糖の製造方法。
【発明の効果】
【０００９】
本発明によれば、植物性バイオマスから、炭素触媒を用いてグルコースの重合度が３〜６のオリゴマーを含有するセロオリゴ糖を製造することができる。
【図面の簡単な説明】
【００１０】
【図１】最高反応温度が２３０℃未満の加水分解反応の温度推移を模式的に表したグラフであり、横軸は時間経過（分）、縦軸は温度（℃）を示し、１７０〜２３０℃の範囲の温度時間積（℃・分）を網掛けで示す。
【図２】最高反応温度が２３０℃を超える加水分解反応の温度推移を模式的に表したグラフであり、横軸は時間経過（分）、縦軸は温度（℃）を示し、１７０〜２３０℃の範囲の温度時間積（℃・分）を網掛けで示す。
【図３】水蒸気賦活活性炭（ＢＡ５０、ＳＤ５０）及び薬剤賦活活性炭（Ｚｎ６０）を用いて反応温度を変え実施した本発明の方法による結果（実施例１〜７及び比較例１〜１２の結果）を示すグラフである。
【発明を実施するための形態】
【００１１】
以下、本発明の方法の好適な実施形態について説明する。なお、以下に説明する実施形態は、本発明の代表的な一例を示したものであり、本発明はそれらに限定されるものではなく、それらにより本発明の範囲が狭く解釈されるべきでない。
【００１２】
［植物性バイオマス（固体基質）］
バイオマスとは一般的には「再生可能な生物由来の有機性資源で化石資源を除いたもの」を指すが、本発明で使用する「植物性バイオマス」（以下、固体基質ということがある。）は、例えば、稲わら、麦わら、サトウキビわら、籾殻、バガス、広葉樹、竹、針葉樹、ケナフ、家具廃材、建築廃材、古紙、食品残渣等の主にセルロースやヘミセルロースを含むバイオマスである。
【００１３】
植物性バイオマスは、精製処理してあるものでも、精製処理してないものでも用いることができる。精製処理してあるものとしては、アルカリ蒸煮、アルカリ性亜硫酸塩蒸煮、中性亜硫酸塩蒸煮、アルカリ性硫化ソーダ蒸煮、アンモニア蒸煮などの処理をした後に固液分離し水洗することにより脱リグニン処理を行い、セルロースを含有するものが挙げられる。さらに、工業的に調製したセルロースなどでもよい。
植物性バイオマスは、不純物として原料由来の珪素、アルミニウム、カルシウム、マグネシウム、カリウム、ナトリウムなどの灰分を含有してもよい。
【００１４】
植物性バイオマスは、乾体でも湿体でもよく、結晶性でも非結晶性でもよい。植物性バイオマスは反応に先立ち粉砕することが望ましい。粉砕により固体触媒との接触性が増加して、加水分解反応が促進される。したがって、植物性バイオマスの形状・大きさは、粉砕するのに適していることが好ましい。そのような形状・大きさとしては、例えば粒径が２０〜１０００μｍの粉体状が挙げられる。
【００１５】
［固体触媒］
固体触媒は、植物性バイオマスの加水分解を触媒できるものであればよく、特に限定されるものではないが、主成分であるセルロースを形成しているグルコース間のβ−１，４グリコシド結合に代表されるグリコシド結合を加水分解する活性を有する炭素材料が好ましい。
【００１６】
炭素材料としては、例えば活性炭、カーボンブラック、グラファイト、空気酸化した木粉などが挙げられる。これら炭素材料は、単独で使用しても、２種以上を併用してもよい。炭素材料の形状は、基質との接触面積の拡大により反応性を向上させるという点で、多孔性及び／または微粒子であることが好ましく、酸点を発現して加水分解を促進させるという点で、その表面にフェノール性水酸基、カルボキシル基、スルホ基、リン酸基などの官能基を有する炭素材料が好ましい。
【００１７】
官能基を表面に有する多孔性炭素材料としては、ヤシガラ、ユーカリ、竹、松、くるみガラ、バガスなどの木質材料や、コークス、フェノールなどを、水蒸気、二酸化炭素、空気などのガスを用いて高温処理する方法（物理法）や、アルカリ、塩化亜鉛などの薬剤を用いて高温処理する方法（化学法）により調製した活性炭が挙げられる。さらに木質材料や活性炭を空気存在下で均一に加熱処理した（空気酸化した）炭素材料も挙げられる。
【００１８】
セロトリオース以上の重合度のオリゴ糖収率が高いという観点から水蒸気賦活活性炭、薬剤賦活活性炭、空気酸化した木粉、空気酸化した水蒸気賦活活性炭、空気酸化した薬剤賦活活性炭を用いることが好ましい。
【００１９】
［植物性バイオマスの粉砕］
植物性バイオマスの主成分であるセルロースは、２本またはそれ以上のセルロース分子が水素結合により結合して結晶性を示す。本発明では、そのような結晶性を有するセルロースをそのまま原料として使用することができるが、結晶性低下処理を施して結晶性を低下させたセルロースを用いることが好ましい。結晶性を低下させたセルロースは、結晶性を部分的に低下させたものでも、完全にまたはほぼ完全に消失させたものでもよい。結晶性低下処理の種類には特に制限はないが、上記水素結合を切断して、１本鎖のセルロース分子を少なくとも部分的に生成できる結晶性低下処理が好ましい。少なくとも部分的に１本鎖のセルロース分子を含むセルロースを原料とすることで、加水分解の効率を大幅に向上することができる。
【００２０】
物理的にセルロース分子間の水素結合を切断する方法は、例えば粉砕処理が挙げられる。粉砕手段は微粉化できる機能を備えているものであれば特に限定されない。例えば、粉砕装置の方式は乾式、湿式のいずれでもよく、また装置の粉砕システムは回分式、連続式いずれでもよい。さらに、装置の粉砕力は、衝撃、圧縮、せん断、摩擦などのいかなるものでも用いることができる。
【００２１】
粉砕処理に用いる装置としては、ポットミル、チューブミル、コニカルミルなどの転動ボールミル、円振動型振動ミル、旋回型振動ミル、遠心ミルなどの振動ボールミル、撹拌槽ミル、アニュラミル、流通型ミル、塔式粉砕機などの撹拌ミル、旋回流型ジェットミル、衝突タイプジェットミル、流動層型ジェットミル、湿式タイプジェットミルなどのジェット粉砕機、らいかい機（擂潰機）、オングミルなどのせん断ミル、乳鉢、石うすなどのコロイドミル、ハンマーミル、ケージミル、ピンミル、ディスインテグレータ、スクリーンミル、ターボ型ミル、遠心分級ミルなどの衝撃式粉砕機、さらには自転及び公転の運動を採用した種類の粉砕機である遊星ボールミルなどが挙げられる。
【００２２】
炭素触媒を用いる植物性バイオマスを加水分解する反応は、固体基質と固体触媒の反応であり、基質と触媒の接触が律速となるため、反応性を向上させる方法として、固体基質と固体触媒を予め混合し同時粉砕処理をすることが有効である。
同時粉砕処理は、混合に加え、基質の結晶性を低下させる前処理を兼ねることができる。その観点から、用いる粉砕装置は、基質の結晶性を低下させる前処理に用いられる、転動ボールミル、振動ボールミル、撹拌ミル、遊星ボールミルが好ましく、転動ボールミルに分類されるポットミル、撹拌ミルに分類される撹拌槽ミル、遊星ボールミルがより好ましい。さらに、固体触媒と固体基質とを同時粉砕処理した嵩密度の大きい原料の方が反応性が高い傾向が認められることから、固体触媒の粉砕物と固体基質の粉砕物とが食い込むような圧縮力が強く加わる転動ボールミル、撹拌ミル、遊星ボールミルを用いることがさらに好ましい。
【００２３】
個別に基質を粉砕した固体基質と触媒を同時粉砕した原料は、微粉砕後の平均粒径（累計中位径（メジアン径）：粉体の集団の全体積を１００％として求めた累計カーブが５０％となる点の粒子径（Ｄ５０））は１〜１００μｍであり、反応性をより高めるという観点から、１〜３０μｍが好ましく、１〜２０μｍがより好ましい。
微粉砕処理する原料の粒径が大きい場合は、微粉砕を効率的に行うために、微粉砕の前に予備的粉砕処理を行うことが好ましい。予備的粉砕処理は、例えば、シュレッダー、ジョークラッシャー、ジャイレトリクラッシャー、コーンクラッシャー、ハンマークラッシャー、ロールクラッシャー、及びロールミルなどの粗粉砕機、スタンプミル、エッジランナ、切断・せん断ミル、ロッドミル、自生粉砕機及びローラミルなどの中粉砕機を用いて実施することができる。原料の処理時間は、処理後原料が均一に微粉化されるのであれば特に限定されない。
【００２４】
固体触媒と固体基質の比率は、個別に基質を粉砕する場合及び基質と触媒を同時粉砕する場合のいずれにおいても、特に限定されるものではないが、反応時の加水分解効率、反応後の基質残渣低減、生成糖の回収率の観点から、固体基質１００質量部に対して固体触媒１〜１００質量部が好ましく、１〜１０質量部がより好ましい。
【００２５】
［加水分解反応］
植物性バイオマスを基質として、グルコースの重合度が３〜６のオリゴマーを含有するセロオリゴ糖を生成する加水分解反応は、基質を触媒と水の存在下、好ましくは加圧状態となる温度で加熱して行う。
加熱によりセルロースはセロオリゴ糖を経て単糖であるグルコースへと分解され、さらに反応が進むと５−ヒドロキシメチルフルフラールなどの過分解物が生成する。したがって、本発明の目的を達成するためには、セルロースがセロオリゴ糖に分解されるが、その後セロオリゴ糖がグルコースへ分解されない条件で加水分解反応を行うことが必要である。
【００２６】
本発明の目的を達成する加水分解反応の条件は下記のとおりである。
加水分解反応は１７０〜２３０℃の温度で実施することができる。本発明の効果を損なわない限り、最高温度は２３０℃を超えるときがあってもよい。
縦軸に反応温度、横軸に時間を表した図（図１及び図２参照）における１７０〜２３０℃の範囲の面積（以下、「１７０〜２３０℃の温度時間積」という。）が、８０〜３６５℃・分であるとグルコースの重合度が３〜６のセロオリゴ糖を効率よく得ることができる。なかでも８０〜３００℃・分が好ましく、８０〜２５０℃・分がより好ましい。
なお、１７０〜２３０℃の温度時間積は、１７０〜２３０℃の範囲において、反応温度を時間で積分することにより求めることができるが、加温するときの昇温速度及び冷却するときの冷却速度が一定である反応パターンの場合には、台形に近似して下記式により温度時間積を求めることができる。
【数２】
2017104687.tif 000003
なお、最高反応温度が２３０℃を超える場合は、上記の式の「最高反応温度」を２３０℃として算出する（図２参照）。
【００２７】
１７０〜２３０℃の温度時間積が８０℃・分より小さいとセルロースからセロオリゴ糖への分解が進まず、好ましくない。また、１７０〜２３０℃の温度時間積が３６５℃・分より大きいとセロオリゴ糖からグルコースへの分解、及びグルコースから５−ヒドロキシメチルフルフラールなどへの過分解が速やかに進むため好ましくない。
【００２８】
さらに、加水分解反応は、最高反応温度（Ｘ）と最高反応温度の保持時間（Ｙ）とが下記の式（１）〜（３）で示される関係を満たす条件で行うことが好ましい。
【数３】
2017104687.tif 000004
上記式中、Ｘは最高反応温度（℃）を表し、Ｙは最高反応温度における保持時間（分）を表す。
【００２９】
加水分解の最高反応温度（Ｘ）及び最高反応温度の保持時間（Ｙ）が上記の範囲であると、セルロースからセロオリゴ糖への分解が進むと同時に、セロオリゴ糖からグルコースへの分解及びグルコースから５−ヒドロキシメチルフルフラールなどへの過分解が抑制され好ましい。
なかでも好ましい加水分解の最高反応温度は１８０〜２００℃であり、より好ましくは１８０〜１９０℃の範囲である。
【００３０】
反応温度までに加熱する際の昇温速度と、反応温度での加熱終了し冷却するときの降温速度は、例えば、０．１〜３０℃／分の範囲の速度で行うことができ、好ましくは０．２〜２０℃／分の範囲で行うことがより適当である。０．１℃／分より緩やかであると昇温過程や冷却過程で加水分解反応が進みすぎ、３０℃／分より急であると設備能力の増強による設備コストが大きくなるため好ましくない。
【００３１】
加水分解の際の水の存在量は、少なくともセルロースを全量加水分解できる量であり、反応混合物の流動性や撹拌性等を考慮して、セルロースに対して、質量比１〜５００の範囲、好ましくは２〜２００の範囲とすることができる。
なお、加水分解はｐＨの影響を受ける。本発明では、ｐＨ４〜７の条件で加水分解反応を行うことが好ましい。ｐＨが４より低いとセロオリゴ糖からグルコースへの分解が進みやすくなり、ｐＨが７より高いと加水分解が阻害される。したがって、セロオリゴ糖の収率を上げるために反応開始時のｐＨを上記の範囲に適宜調整しておく。
【００３２】
加水分解の雰囲気は特に限定されない。工業上は空気雰囲気下で行うことが好ましいが、空気以外の気体、例えば、酸素、窒素、水素またはそれらの混合物の雰囲気下で行ってもよい。
【００３３】
本発明の方法におけるセルロースの加水分解形式は、バッチ式または連続式等のいずれでもよい。
【００３４】
バッチ式の反応は、オートクレーブ等の密閉容器内で反応混合物を撹拌しながら行う。この場合、密閉であるため反応開始時は常圧であっても、上記温度で反応系が加熱されると加圧状態となる。さらに、反応前または反応中に密閉容器内を加圧し、反応することもできる。加圧する圧力は、例えば０．１〜３０ＭＰａ、好ましくは１〜２０ＭＰａ、さらに好ましくは２〜１０ＭＰａである。
【００３５】
前記加水分解反応は、グルコースの重合度３（セロトリオース）から６のオリゴ糖の収率が１０〜８０％の間にある時点で終了することが好ましい。その時点は、加熱温度、使用する触媒の種類及び量、水の量（セルロースに対する割合）、セルロースの種類、撹拌方法及びその条件等により変化するが、これらの条件は予備的実験により決定することができる。
【実施例】
【００３６】
(1)固体触媒及び固体基質
以下の実施例及び比較例では、固体触媒として水蒸気賦活活性炭であるＢＡ５０（味の素ファインテクノ（株）製）若しくはＳＤ５０（味の素ファインテクノ（株）製）、または塩化亜鉛による薬剤賦活活性炭であるＺＮ６０（味の素ファインテクノ（株）製）を、また固体基質としてはＡｖｉｃｅｌ（Ｍｅｒｃｋ社製結晶性微粉セルロース）を、それぞれ直接用いるか、以下の(2)の方法で粉砕処理したものを用いた。【００３７】
(2)混合粉砕原料
固体基質としてのＡｖｉｃｅｌ（Ｍｅｒｃｋ社製結晶性微粉セルロース）１０．００ｇと、固体触媒１．５４ｇ（基質と触媒の質量比６．５：１．０）を、容量３６００ｍＬのセラミックポットミルの中に直径１．５ｃｍのアルミナ球２０００ｇと共に入れた。このセラミックポットミルを卓上ポットミル回転台（日陶科学（株）製，卓上ポットミル型式ＡＮＺ−５１Ｓ）にセットし、６０ｒｐｍで４８時間ボールミル処理して混合同時粉砕した。得られた原料を、以下、混合粉砕原料と略記する。【００３８】
実施例１〜７及び比較例１〜１２：加水分解反応
表１に記載の触媒と基質を用い、混合粉砕原料は０．３７４ｇ（Ｃ6Ｈ10Ｏ5単位で２．００ｍｍｏｌ）と水４０ｍＬ、未粉砕基質はそれぞれ０．３２４ｇと触媒０．０５０ｇと水４０ｍＬを、高圧反応器（内容積１００ｍＬ，オーエムラボテック（株）製オートクレーブ，ハステロイＣ２２製）に入れた後、６００ｒｐｍで撹拌しながら室温から表１に記載の反応温度まで１０〜３０℃／分（平均昇温速度１１．３℃／分）で加熱した。反応最高温度に到達するとその温度で表１に記載の時間保持して後に加熱を止め、反応器を１０〜３０℃／分（平均降温速度１６．７℃／分）で風冷し、冷却後、反応液を遠心分離装置により液体と固体に分離して上清サンプルの分析を行った。なお、反応時間が「０分」とは、反応最高温度に到達した瞬間から冷却を行うことを意味する。【００３９】
［生成物の定量］
固形分を除去した液相サンプルの生成物は、（株）島津製作所製高速液体クロマトグラフ（条件１  カラム：Ｓｈｏｄｅｘ（登録商標）ＳＨ−１０１１，移動相：水０．５ｍＬ／ｍｉｎ，５０℃，検出：示差屈折率）によりグルコース、セロビオースからセロヘキサオースまでのオリゴ糖を定量分析した。【００４０】
以下に収率の計算式を示す。
【数４】
2017104687.tif 000005
【００４１】
［分析結果］
結果を表１に示す。【００４２】
【表１】
2017104687.tif 000006
【００４３】
図３に水蒸気賦活活性炭（ＢＡ５０、ＳＤ５０）及び薬剤賦活活性炭（Ｚｎ６０）を用いて反応温度と保持時間を変えて実施した実施例１〜７及び比較例１〜１２の結果をまとめて示す。なお、図中のマーカー「●」はグルコースの重合度が３〜６のオリゴマー収率が５０％以上を表し、「×」はグルコースの重合度が３〜６のオリゴマー収率が５０％未満を表す。【００４４】
水蒸気賦活活性炭ＢＡ５０との混合粉砕原料を、１７０〜２３０℃の反応温度領域で反応を行った際のグルコースの重合度が３〜６のオリゴ糖の収率は、反応温度２００℃、反応時間３分（実施例１）で６０％、１９０℃、１５分（実施例２）で６１％、１９０℃、５分（実施例３）で６４％、１８０℃、２０分（実施例４）で６９％となり、概ね２００℃以下で適切な反応時間をかけることにより６０％以上の高収率が得られることが確認された。２００℃を上回る高温条件で反応時間をかけて行った反応では、反応温度２３０℃、反応時間０分（比較例１）で０％、２２０℃、０分（比較例２）で１６％、２１０℃、１０分（比較例３）で０％となり、いずれも過分解が進み、グルコースの重合度が３〜６のオリゴ糖の高い収率は得られなかった。【００４５】
また、２００℃以下の条件でも、２００℃、１５分（比較例４）で０％、１９０℃、２５分（比較例５）で９％、１８０℃、４０分（比較例７）で１８％となり、時間をかけ過ぎたことにより過分解が進み、高い収率が得られなかった。逆に、１９０℃、０分（比較例６）で５％、１８０℃、０分（比較例８）で２％、１７０℃、３０分（比較例９）で６％、１７０℃、１０分（比較例１０）で４％、１７０℃、０分（比較例１１）で１％となったが、これは反応時間不足で加水分解が進まず高い収率が得られなかったと推測される。【００４６】
ＢＡ５０以外の活性炭であるＳＤ５０、ＺＮ６０を用いて、反応温度１８０℃、反応時間２０分で反応を行ったところ、水蒸気賦活活性炭であるＳＤ５０（実施例６）ではグルコースの重合度が３〜６のオリゴ糖収率は６０％、薬剤賦活活性炭であるＺＮ６０（実施例７）でも６０％の結果が得られ、水蒸気賦活活性炭、薬剤賦活活性炭とも高い収率が得られることが確認された。【００４７】
反応温度１８０℃、反応時間２０分の反応において、触媒の有無の効果を比較すると、ＢＡ５０と同時粉砕原料で行った実施例４のグルコースの重合度が３〜６のオリゴ糖収率は６９％であったのに対し、触媒なしでアビセルだけ用いた比較例１２は５％となった。この結果より、グルコースの重合度が３〜６のオリゴ糖を高収率で得るためには、炭素触媒が必要であることが分かった。
【産業上の利用可能性】
【００４８】
本発明の方法によれば、これまで炭素触媒を用いる植物性バイオマスの加水分解法では工業的に生産されていなかったグルコースの重合度３〜６のセロオリゴ糖を製造でき、医薬、化粧品、食品、飼料分野に、より高機能な添加剤を提供することができる。
【図１】
2017104687.tif 000008
【図２】
2017104687.tif 000009
【図３】
2017104687.tif 000010
【国際調査報告】
2017104687.tif 000011
2017104687.tif 000012
2017104687.tif 000013
2017104687.tif 000014